(57)【要約】  【課題】  配合安定が良好で、優れたしわ抑制効果を発現する繊維製品処理剤組成物の提供。  【解決手段】  （ａ）アミノ変性ポリシロキサン、（ｂ）不揮発性ポリシロキサン、（ｃ）モノアルキル又はモノアルケニル（アルキル又はアルケニル基の炭素数は４〜２４で、直鎖でも分岐鎖でも良い）グリセリルエーテル、及び水を含有する繊維製品処理剤組成物。【選択図】  なし【特許請求の範囲】
【請求項１】
（ａ）アミノ変性ポリシロキサン、（ｂ）不揮発性ポリシロキサン、（ｃ）モノアルキル又はモノアルケニル（アルキル又はアルケニル基の炭素数は４〜２４で、直鎖でも分岐鎖でも良い）グリセリルエーテル、及び水を含有する繊維製品処理剤組成物。
【請求項２】
（ａ）成分の２５℃での動粘度が１００〜２００００ｍｍ2／ｓである請求項１記載の繊維製品処理剤組成物。
【請求項３】
（ｃ）成分が、モノ２−エチルヘキシルグリセリルエーテルである請求項１又は２記載の繊維製品処理剤組成物。
【請求項４】
（ａ）成分と（ｂ）成分の質量比率が、（ａ）／（ｂ）＝１／２〜１００／１である、請求項１〜３いずれかに記載の繊維製品処理剤組成物。
【請求項５】
（ｂ）成分と（ｃ）成分の質量比率が、（ｂ）／（ｃ）＝１０／１〜１／１０である、請求項１〜４いずれかに記載の繊維製品処理剤組成物。
【発明の詳細な説明】
【技術分野】
【０００１】
本発明は繊維製品処理剤組成物に関する。
【背景技術】
【０００２】
アミノ変性ポリシロキサンや不揮発性ポリシロキサンを含有する組成物は種々知られている。例えば、特許文献１には（ａ）界面活性剤（ｂ）不揮発性線状ポリシロキサン、（ｃ）アミン官能性ポリシロキサン、（ｄ）カルボン酸、（ｅ）水を含有する組成物が開示されている。この組成物は毛髪にスタイリングやコンディショニングの効果を与えるシャンプー基剤への応用等は記載されているが、ポリシロキサンの安定性の技術については、特に言及されてはおらず、どの様な方法で安定に配合出来るか示唆となる記載は見当たらない。
【０００３】
又、モノグリセリルエーテルは一般的には洗浄剤として用いられており、例えば、特許文献２にはアルキルグリセリルエーテルを含有する洗浄効果に優れた液体洗浄剤が開示されており、襟汚れ等の頑固な皮脂汚れや台所周りの変性油汚れに対する優れた洗浄性能を発現することが記載されている。
【０００４】
又、洗浄剤以外の使用としては、化粧料用途に用いることは知られており、例えば、特許文献３には（ａ）α―モノアルキルグリセリルエーテル、（ｂ）ワックス類、（ｃ）シリコーン油、（ｄ）疎水化処理粉末を配合した水中油型乳化化粧料が開示されている。ここではモノアルキルグリセリルエーテルをシリコーン油の乳化安定性の目的に使用しているが、シリコーン油は揮発性の低分子の化合物のみ開示されており、高分子量のポロシロキサンの安定性も同様に達成できるかは不明である。
【０００５】
更に、モノアルキルグリセリルエーテルを繊維製品処理剤に用いる技術としては、例えば、特許文献４には直鎖又は分岐鎖の長鎖アルキル基又はアルケニル基を有するモノグリセリルエーテルを含有する繊維用仕上げ剤組成物が開示されている。しかし、特許文献４ではモノグリセリルエーテルが抗炎症剤として配合されており、繊維製品の柔軟化剤に有用なポリシロキサンやアミノ変性ポリシロキサンとの組合せ及びシリコーン組成物の安定性に関する開示は見当たらない。
【特許文献１】特開２００２−０８０６０３号公報
【特許文献２】特開２００１−４９２９１号公報
【特許文献３】特開２００２−３０８７３０号公報
【特許文献４】特開２００１−１４６６８０号公報
【発明の開示】
【発明が解決しようとする課題】
【０００６】
本発明の課題は、配合安定が良好で、優れたしわ抑制効果を発現する繊維製品処理剤組成物を提供することにある。
【課題を解決するための手段】
【０００７】
本発明者等は、アミノ変性ポリシロキサンと不揮発性ポリシロキサンの組み合わせが、しわ抑制効果に有効であり、更に特定のモノアルキル又はモノアルケニルグリセリルエーテルを配合することで不揮発性ポリシロキサンの乳化安定性も良好になることを見出した。
【０００８】
即ち、本発明は、（ａ）アミノ変性ポリシロキサン、（ｂ）不揮発性ポリシロキサン、（ｃ）モノアルキル又はモノアルケニル（アルキル又はアルケニル基の炭素数は４〜２４で、直鎖でも分岐鎖でも良い）グリセリルエーテル、及び水を含有する繊維製品処理剤組成物を提供する。
【発明の効果】
【０００９】
本発明の繊維製品処理剤組成物は、繊維製品のしわ低減性に優れており、更には組成物の安定性にも優れている。
【発明を実施するための最良の形態】
【００１０】
［（ａ）成分］
本発明の（ａ）成分であるアミノ変性ポリシロキサンとしては、繊維製品のしわを有効に低減する観点から、２５℃の動粘度（オストワルト型粘度計で求めることができる、以下単に粘度という）が、好ましくは１００〜２００００ｍｍ2／ｓ、更に好ましくは２００〜１００００ｍｍ2／ｓ、特に好ましくは５００〜５０００ｍｍ2／ｓのものである。また、アミノ当量（窒素原子１つ当りの分子量、アミノ当量＝分子量／Ｎ原子数で求められる。分子量はゲルパーミエーションクロマトグラフィーでポリスチレンを標準として求めた値であり、窒素原子数は元素分析法により求めることができる）は、４００〜１００００が好ましく、６００〜８０００がより好ましく、１６００〜６０００が特に好ましい。
【００１１】
（ａ）成分の好適な具体例として、一般式（１）で表される化合物が挙げられる。
【００１２】
【化１】
2006176918.tif 000002
【００１３】
〔式中、Ｒ1aは炭素数１〜３のアルキル基、ヒドロキシ基、−ＯＲ1d（ここでＲ1dは炭素１〜３のアルキル基）又は水素原子を示し、Ｒ1bは炭素数１〜３のアルキル基、ヒドロキシ基又は水素原子を示す。Ａは少なくとも１つのアミノ基を有する側鎖を示し、Ｒ1cは炭素数１〜３のアルキル基又は水素原子を示す。ｍは１０〜１０，０００の数、ｎは１〜１，０００の数を示し、重量平均分子量が２，０００〜１，０００，０００となる数を示す。尚、Ｒ1a、Ｒ1b、Ｒ1c、Ｒ1dはそれぞれ同一でも異なっていても良く、また複数個のＲ1bは同一でも異なっていても良い。〕
一般式（１）において、Ｒ1aはメチル基又はヒドロキシ基が好ましく、Ｒ1bはメチル基又はヒドロキシ基が好ましく、Ｒ1cはメチル基又は水素原子が好ましく、Ｒ1dはメチル基が好ましい。重量平均分子量は、好ましくは５，０００〜１００，０００、特に好ましくは８，０００〜５０，０００である。ここで、重量平均分子量はポリスチレンを標準としてゲルパーミエーションクロマトグラフィーで求めることができる。アミノ基を有する側鎖Ａとしては、下記のものを挙げることができる。
−Ｃ3Ｈ6−ＮＨ2
−Ｃ3Ｈ6−ＮＨ−Ｃ2Ｈ4−ＮＨ2
−Ｃ3Ｈ6−ＮＨ−［Ｃ2Ｈ4−ＮＨ］x−Ｃ2Ｈ4−ＮＨ2
−Ｃ3Ｈ6−ＮＨ（ＣＨ3）
−Ｃ3Ｈ6−ＮＨ−Ｃ2Ｈ4−ＮＨ（ＣＨ3）
−Ｃ3Ｈ6−ＮＨ−［Ｃ2Ｈ4−ＮＨ］y−Ｃ2Ｈ4−ＮＨ（ＣＨ3）
−Ｃ3Ｈ6−Ｎ(ＣＨ3)2
−Ｃ3Ｈ6−Ｎ(ＣＨ3)−Ｃ2Ｈ4−Ｎ(ＣＨ3)2
−Ｃ3Ｈ6−Ｎ(ＣＨ3)−［Ｃ2Ｈ4−Ｎ(ＣＨ3)］z−Ｃ2Ｈ4−Ｎ(ＣＨ3)2
−Ｃ3Ｈ6−ＮＨ−cyclo-Ｃ5Ｈ11
ここでｘ、ｙ、ｚはそれぞれ１〜３０の数である。
【００１４】
本発明で使用できるアミノ変性ポリシロキサンとしては、例えば、ＤＣ２−８６３０（東レ・ダウコーニング・シリコーン社製、粘度１５００ｍｍ2／ｓ、アミノ当量４３００）、ＫＦ−８６４（信越化学工業（株）製、粘度１７００ｍｍ2／ｓ、アミノ当量は３８００）等を挙げることができる。
【００１５】
［（ｂ）成分］
本発明の（ｂ）成分である不揮発性ポリシロキサンとしては、繊維製品のしわを有効に低減する観点から、２５℃での蒸気圧が０．２ｈＰａ以下のものが好ましく、０．１８ｈＰａ以下のものが更に好ましい。又、２５℃での動粘度は５０〜１００００ｍｍ2／ｓが好ましく、５００〜５０００ｍｍ2／ｓがより好ましく、１０００〜３０００ｍｍ2／ｓが特に好ましい。
【００１６】
本発明で使用できる不揮発性ポリシロキサンとしては、例えば、ＳＨ２００−３０〜１００００ｃｓ（東レ・ダウコーニング・シリコーン社製ポリジメチルシロキサン、粘度３０〜１００００ｍｍ2／ｓ）等を挙げることができる。処理衣料のしわを効果的に低減できる観点から、線状のポリシロキサンが好ましい。
【００１７】
［（ｃ）成分］
本発明の（ｃ）成分であるモノアルキル又はモノアルケニルグリセリルエーテル中のアルキル又はアルケニル基は炭素数は４〜２４で、直鎖でも分岐鎖でも良いが、ｎ−ブチル基、ｎ−ヘキシル基、ｎ−オクチル基、２−エチルヘキシル基、ｎ−デシル基などのアルキル基が好ましい。その中でも、（ｂ）成分を安定に配合出来る観点から、モノ２−エチルヘキシルグリセリルエーテルが好ましい。
【００１８】
モノ２−エチルヘキシルグリセリルエーテルは、２−エチルヘキサノールとエピハロヒドリンやグリシドール等のエポキシ化合物をＢＦ3等の酸触媒、あるいはアルミニウム触媒を用いて反応させ製造する方法が一般的であり、特開２００１−４９２９１号公報に記載されているように複数の生成物を含む混合物である。具体的には、モノ２−エチルヘキシルグリセリルエーテルとして、エポキシ化合物の１位に２−エチルヘキサノールが付加した化合物（３−（２−エチルヘキシルオキシ）−１，２−プロパンジオール）やエポキシ化合物の２位に付加した化合物（２−（２−エチルヘキシルオキシ）−１，３−プロパンジオール）が挙げられる。また、副生成物として、さらにエポキシ化合物が付加した多付加化合物を含有しても良い。
【００１９】
本発明に用いる（ｃ）成分としては、上記の多付加化合物の含有量が、モノ付加化合物中に３０質量％以下、好ましくは１０質量％以下、特に好ましくは１質量％以下であることが好適である。
【００２０】
［繊維製品処理剤組成物］
本発明の組成物中、（ａ）成分及び（ｂ）成分は、繊維製品に滑らかさを付与し、しわの形成を抑制する効果を有する。また、（ｃ）成分は、（ａ）成分及び（ｂ）成分の乳化安定性に重要な役割を持っている。
【００２１】
本発明の組成物中の（ａ）成分の含有量は、０．５〜３０質量％が好ましく、１〜２０質量％がより好ましく、２〜１５質量％が特に好ましい。（ｂ）成分の含有量は、０．０５〜５質量％が好ましく、０．１〜３質量％がより好ましく、０．２〜２質量％が特に好ましい。（ｃ）成分の含有量は、０．１〜１５質量％が好ましく、０．５〜１０質量％がより好ましく、１〜７質量％が特に好ましい。
【００２２】
本発明の組成物中の（ａ）成分と（ｂ）成分の配合割合は、しわ抑制と安定性の観点から、（ａ）／（ｂ）（質量比）で１／２〜１００／１が好ましく、１／１〜６０／１がより好ましく、５５／４５〜２０／１が特に好ましい。また、（ｂ）成分と（ｃ）成分の配合割合は、（ｂ）／（ｃ）（質量比）で、１０／１〜１／１０が好ましく、５／１〜１／８がより好ましく、１／１〜１／６が特に好ましい。
【００２３】
また本発明の組成物のｐＨは、安定性の観点から、２〜８が好ましく、２．５〜７がより好ましく、３〜５が特に好ましい。
【００２４】
本発明では保存安定性の目的から界面活性剤（以下（ｄ）成分とする）、水溶性有機溶剤（以下（ｅ）成分とする）、水溶性の酸（以下（ｆ）成分とする）を併用することができる。
【００２５】
界面活性剤としては、陰イオン性界面活性剤、陽イオン性界面活性剤、非イオン性界面活性剤、両性界面活性剤から選ばれる少なくとも１種を用いることができる。
【００２６】
陰イオン性界面活性剤として、アルキルベンゼンスルホン酸塩、アルキル硫酸エステル塩等が挙げられる。陽イオン性界面活性剤として、塩化ジアルキルジメチルアンモニウム（炭素数１２、１４の混合物）、アルキルトリメチルアンモニウム塩等が挙げられる。非イオン性界面活性剤として、ポリオキシエチレンアルキルエーテル、ポリオキシエチレンフェニルエーテル等が挙げられる。両性界面活性剤として、スルホベタイン、カルボベタイン、アミンオキサイド等が挙げられる。
【００２７】
水溶性有機溶剤としては、プロピレングリコール、ジプロピレングリコール、エチレングリコール、フェニルグリコール、グリセリン、エタノール等が挙げられ、２種以上を併用することが好ましい。特に好ましくはプロピレングリコール、ジプロピレングリコール、フェニルグリコールである。
【００２８】
水溶性の酸としては、塩酸、酢酸、クエン酸、コハク酸、フマル酸、乳酸、硫酸等が挙げられ、これらの酸は１種又は２種以上を使用することができる。好ましくは塩酸、酢酸、クエン酸、乳酸であり、より好ましくは塩酸、クエン酸である。
【００２９】
本発明の組成物は水を含有し、微量に存在する重金属などを取り除いたイオン交換水や蒸留水を用いることができる。また、塩素などで滅菌した滅菌水を用いることも可能である。
【００３０】
本発明では、繊維処理剤に用いられる通常の添加剤、例えば香料、防腐剤、染料、顔料、粘度調節剤、無機塩、ハイドロトロープ剤などの成分を必要に応じて用いることができる。
【００３１】
本発明の繊維製品処理剤組成物を繊維に処理する方法としては、特に限定されず、例えば対象繊維製品を本発明の処理剤組成物に直接浸漬させる方法、本発明の処理剤組成物を水に希釈した希釈液に対象繊維製品を浸漬させる方法、スプレーヤーを用いて本発明の処理剤組成物を対象衣料に噴霧し付着させる方法等を挙げることができる。
【００３２】
本発明の繊維製品処理剤組成物を、繊維製品に付与することにより、アイロンがけやスチームプレス等の熱処理や加圧処理を行わなくてもしわを除去することができる。また、必要により熱処理を行ってもよい。
【実施例】
【００３３】
実施例１〜３及び比較例１〜５
下記成分を用い、下記方法で表１に示す組成の繊維製品処理剤組成物を調製した。得られた組成物について、下記方法で保存安定性、しわ取り性を評価した。結果を表１に示す。
【００３４】
＜配合成分＞
（ａ−１）：ＤＣ２−８６３０（東レ・ダウコーニング・シリコーン社製アミノ変性シリコーン、粘度１５００ｍｍ2／ｓ、アミノ当量４３００）
（ａ−２）：ＫＦ８６４（信越化学工業（株）製アミノ変性シリコーン、粘度１７００ｍｍ2／ｓ、アミノ当量３８００）
（ａ−３）：下記式（２）で表されるモノアミノ変性シリコーン（粘度３５００ｍｍ2／ｓ、アミノ当量３８００）
【００３５】
【化２】
2006176918.tif 000003
【００３６】
（式中、（）内の単位はランダム付加している。）
（ｂ−１）：ＳＨ２００−３０００ｃｓ（東レ・ダウコーニング・シリコーン社製ジメチコン、粘度３０００ｍｍ2／ｓ（２５℃））
（ｂ’−１）：ＳＨ２００Ｃ−２ｃｓ（東レ・ダウコーニング・シリコーン社製ジメチコン、粘度２ｍｍ2／ｓ（２５℃））
（ｃ−１）：モノ２−エチルヘキシルグリセリルエーテル
（ｄ−１）：炭素数１２〜１４の直鎖第１級アルコールにエチレンオキサイド（ＥＯ）を平均５モル、プロピレンオキサイド（ＰＯ）を平均２モル、ＥＯを平均３モルの順に付加させたポリオキシアルキレンアルキルエーテル
（ｄ−２）：下記式（３）で表される化合物
【００３７】
【化３】
2006176918.tif 000004
【００３８】
（式中、ｘ1＋ｙ1＝１１、ｚ1（ＥＯの平均付加モル数）＝３である。）
（ｄ−３）：下記式（４）で表される化合物
【００３９】
【化４】
2006176918.tif 000005
【００４０】
（式中、ｘ2＋ｙ2＝１１、ｚ2（ＥＯの平均付加モル数）＝７である。）
（ｄ−４）：塩化ジアルキル（炭素数１２、１４の混合物）ジメチルアンモニウム
（ｄ−５）：アンヒトール２０ＨＤ（ラウリルヒドロキシスルホベタイン、花王（株）製）
（ｄ−６）：ポリオキシエチレン（ＥＯ平均付加モル数：１２７）ステアリルエーテル
（ｄ−７）：ポリオキシエチレン（ＥＯ平均付加モル数：１３）ステアリルエーテル
（ｅ−１）：ジプロピレングリコール
（ｅ−２）：ポリオキシエチレンフェニルエーテル（ＥＯ平均付加モル数：３）
プロキセルＩＢ：アビシア（株）製、２０％水溶液
＜処理剤組成物の調製法＞
ステンレスのビーカーに（ｄ−１）〜（ｄ−３）を仕込む。乳化機（ホモジナイザー、羽根撹拌）で撹拌しながら（ｅ）成分、（ｃ）成分を添加し、次いでイオン交換水１０部加えた後、（ｄ−４）〜（ｄ−７）を少量ずつ加える。混合液が透明になったら（ａ）成分及び（ｂ）成分を添加し撹拌、乳化する。均一に乳化したら水とプロキセルＩＢを添加し、その後塩酸を滴下しながら加える。十分撹拌し乳白色の液状になったものを繊維製品処理剤組成物とした。
【００４１】
＜保存安定性評価法＞
処理剤組成物をガラスのスクリュー管（Ｎｏ.３）に５ｍＬ入れ５０℃の恒温槽に１０日間保存した後、乳化状態を下記基準で判定した。
○：変化なし
×：分離
＜しわ取り性評価法＞
（１）衣料の前処理方法
ワイシャツ（形態安定加工（ＳＳＰ）、フレックスジャパン社製ＢＬＵＥ  ＲＩＶＥＲ、白、綿１００％）を二槽式洗濯機（東芝銀河ＶＨ−３６０Ｓ１）で下記条件で１０回繰り返し洗濯し、２５℃−６５ＲＨ恒温恒湿室にて自然乾燥して評価用繊維製品とした。
【００４２】
・洗濯条件
市販洗剤（花王（株）アタック）濃度０．０６６７％、水道水２０℃、３６Ｌ使用、浴比１／２０（評価用ワイシャツ１枚に重量調整布として肌着（綿１００％）０．９ｋｇとワイシャツ（綿／ポリエステル＝６０／４０）０．６ｋｇを加え合計１．８ｋｇとした。）
洗濯１０分−脱水３分−すすぎ８分−脱水３分（流水すすぎ、水量１５Ｌ／ｍｉｎ）の条件で１０回繰り返し洗濯を行った。
【００４３】
（２）衣料の処理法及びしわの判定
上記、１０回繰り返し洗濯したワイシャツを各処理剤組成物を用い下記条件で処理し、１２時間吊り干し乾燥した後しわを判定した。しわの判定は、５人のパネラーで下記基準で判定した。
【００４４】
・処理条件
市販洗剤（花王（株）アタック）濃度０．０６６７％、水道水２０℃、３６Ｌ使用、浴比１／２０（評価用ワイシャツ１枚に重量調整布として肌着（綿１００％）０．９ｋｇとワイシャツ（綿／ポリエステル＝６０／４０）０．６ｋｇを加え合計１．８ｋｇとした。）
二槽式洗濯機（東芝銀河ＶＨ−３６０Ｓ１）で、洗濯１０分−脱水３分−すすぎ５分（流水すすぎ、水量１５Ｌ／ｍｉｎ）経過したところで流水を止め、排水した後３分間脱水した。次に水道水（２０℃）を３６Ｌ注水し各処理剤組成物を２３．３３ｇ投入して３分間撹拌処理した。撹拌を止めた後、３分間脱水し、評価衣料として形態加工シャツ（ＳＳＰ）を取り出し、ハンガーに掛け１２時間吊り干し乾燥した。
【００４５】
２５℃−６５ＲＨの恒温恒湿室で２４時間静置した繊維製品について、前処理後、処理剤を用いずに水道水だけで処理し同様に２５℃−６５ＲＨの恒温恒湿室で調湿した繊維製品を対照品として判定を行った。
【００４６】
・判定
５人のパネラーにより下記の基準で得点をつけ、平均点を求めた。平均点が１を超え２以下を◎、０を超え１以下を○、０を△、−１以上０未満を×、−２以上−１未満を××として判定した。
＋２点：対照品よりしわが少ない
＋１点：対照品よりややしわが少ない
０点：対照品と同等
−１点：対照品の方がややしわが少ない
−２点：対照品の方がしわが少ない
【００４７】
【表１】
2006176918.tif 000006